(57)【要約】【課題】従来から刈取穀稈の全部を扱室に送る全稈投入式の汎用コンバインは、２番物を扱室か、又はコンベヤのいずれか一方に還元すると、２番物の多いときには扱室に詰まりが起こり、処理能力が低下して能率が悪くなる課題があった。【解決手段】二番物供給装置８を、扱室３の供給口７の前方位置でコンベヤ５の搬送終端部分の上方位置に配置して構成した。前記二番物供給装置８は、選別室９の二番移送螺旋１０から二番物を揚穀する二番揚穀装置１１を連結して構成した。更に、前記二番物供給装置８は、二番物を前記扱室３と前記コンベヤ５との両方に還元できる構成とした汎用コンバインの二番還元装置としている。【選択図】図１
2005052108.tif 000002
【特許請求の範囲】
【請求項１】
車体１上に搭載された脱穀装置２の扱室３に、前後方向に扱胴４を軸架して設け、該扱胴４の始端部に刈取穀稈を供給するコンベヤ５を、前方低位置の掻込みオ−ガ６から前記扱室３の供給口７に連通して設け、該供給口７の前方位置で前記コンベヤ５の搬送終端部分の上方位置に二番物供給装置８を設け、該二番物供給装置８は、前記扱室３の下方に配置した選別室９の二番移送螺旋１０から二番物を揚穀する二番揚穀装置１１を接続すると共に、二番物を前記扱室３と前記コンベヤ５との両方に還元できる構成とした汎用コンバインの二番還元装置。
【請求項２】
二番物供給装置８は、選別室９の二番移送螺旋１０から二番揚穀装置１１によって揚穀された二番物を、扱室３の始端部とコンベヤ５の終端部とに還元する構成とした請求項１記載の汎用コンバインの二番還元装置。
【請求項３】
二番物供給装置８は、二番物を通常は扱室３に還元するが、二番揚穀装置１１によって揚穀される二番物の量が、基準値を越えると、二番物をコンベヤ５にも還元する構成とした請求項１、又は請求項２記載の汎用コンバインの二番還元装置。
【発明の詳細な説明】
【技術分野】
【０００１】
本発明は、汎用コンバインの二番還元装置に関し、農業機械の技術分野に属する。
【背景技術】
【０００２】
従来の汎用コンバイン、例えば、実開昭５７−４９２８号公報に記載されているコンバインは、選別室で回収された２番物を扱室に直接還元しないでコンベヤ上に還元する装置を設けた構成となっている。このような従来装置は、２番物を選別室からコンベヤ上に還元して、扱室に向けて搬送中の刈取穀稈によって包み込むように混合して扱室に供給し、扱胴による二番処理作用を行なうが、そのとき、穀粒の損傷を抑制しながら単粒化の促進を図る目的の技術となっている（例えば、特許文献１参照）。
【特許文献１】実開昭５７−４９２８号公報（第１、乃至５頁、添付図面）
【発明の開示】
【発明が解決しようとする課題】
【０００３】
上述した従来公知の汎用コンバインは、選別室で回収した２番物の全部をコンベヤ上に還元して、搬送中の刈取穀稈に包み込むように混合して扱室に供給する構成であるから、扱室においては、詰まることがあって、適確な脱粒処理ができない課題がある。そして、汎用コンバインは、前部の刈取装置で刈り取った穀稈の全部をコンベヤで上方へ搬送して扱室に供給する全稈投入式であるから、２番物の全部を扱室か、又はコンベヤのいずれか一方に供給すると、２番物の量が多い場合には、脱穀処理能力が低下して作業能率が悪くなる課題がある。
【課題を解決するための手段】
【０００４】
本発明は、上述した課題を解決するために、次の如き技術手段を講ずるものである。まず、請求項１の発明は、車体１上に搭載された脱穀装置２の扱室３に、前後方向に扱胴４を軸架して設け、該扱胴４の始端部に刈取穀稈を供給するコンベヤ５を、前方低位置の掻込みオ−ガ６から前記扱室３の供給口７に連通して設け、該供給口７の前方位置で前記コンベヤ５の搬送終端部分の上方位置に二番物供給装置８を設け、該二番物供給装置８は、前記扱室３の下方に配置した選別室９の二番移送螺旋１０から二番物を揚穀する二番揚穀装置１１を接続すると共に、二番物を前記扱室３と前記コンベヤ５との両方に還元できる構成とした汎用コンバインの二番還元装置であって、従来型の課題を解消して分散して還元する構成によって扱室の詰まりを防止し、適確に脱粒処理ができるものである。
【０００５】
つぎに、請求項２の発明は、二番物供給装置８は、選別室９の二番移送螺旋１０から二番揚穀装置１１によって揚穀された二番物を、扱室３の始端部とコンベヤ５の終端部とに還元する構成とした請求項１記載の汎用コンバインの二番還元装置であって、二番物の余分な移送経路をなくして処理能力を向上するものである。
【０００６】
つぎに、請求項３の発明は、二番物供給装置８は、二番物を通常は扱室３に還元するが、二番揚穀装置１１によって揚穀される量が、基準量を越えると、二番物をコンベヤ５にも還元する構成とした請求項１、又は請求項２記載の汎用コンバインの二番還元装置であって、扱室に供給する二番物の基準量を予め設定しておき、その基準量をオ−バ−したとき二番物を分けてコンベヤ側にも還元して扱室への還元量を、常に基準量に保って扱室の詰まりを未然に防止して能率よく脱穀作業を行なうことができるものである。
【発明の効果】
【０００７】
本発明は、以上述べたような構成と作用を有するもので、まず、請求項１の発明は、従来装置の課題を解消するものであって、刈取穀稈の全部をコンベヤで搬送して扱室に供給する全稈投入式の脱穀装置において、二番物を扱室に還元する構成の場合、扱室の詰まりが起こり易いが、これを二番物の供給調整によって解決して詰まりのない、或いは詰まりの少ない脱穀装置を提供できる特徴を有するものである。そして、本案に係る発明は、二番物を扱室に還元する通常の脱穀装置、又は公知例として挙げたコンベヤ上にまとめて還元する脱穀装置に比較して、扱室における脱穀物の詰まりの防止に二番物を利用し、扱室とコンベヤとの両方に分散還元することによって解消した特有の効果を有するものである。
【０００８】
そして、請求項２の発明は、二番物の還元を扱室にはその始端部分に、コンベヤには終端部分にそれぞれ還元するものであって、移送経路を極力短くしてコンベヤ、及び扱胴の処理能力を向上する効果を有する。
【０００９】
そして、請求項３の発明は、扱室に還元する二番物の量に基準値を設け、予め設定した基準値をオ−バ−した分の二番物をコンベヤ側に還元して扱室への還元量を基準量までに制限することにより扱胴に対する過剰な負担の発生を未然に防ぎ、詰まりの起きない脱穀装置（扱室）を提供するものでありながら、能率よく脱穀作業ができる特徴を有するものである。
【発明を実施するための最良の形態】
【００１０】
以下、本発明の実施の形態を図面に基づいて具体的に説明する。
まず、汎用コンバイン１２は、図３、及び図４に示すように、クロ−ラ１３、１３を有する車体１上に脱穀装置２を搭載し、その前側には刈取前処理装置１４を上下昇降自由に連結した構成としている。そして、刈取前処理装置１４は、図面から解るように、前部の上側に掻込みリ−ル１５を軸架し、その下側には前から分草杆１６、刈取装置１７を設け、更に、その後側に掻込みオ−ガ６とコンベヤ５とを連続した関係に接続して構成している。なお、１９は第２刈取装置を示している。
【００１１】
このように、汎用コンバイン１２は、前部の上側にある掻込みリ−ル１５によって掻き込まれた穀稈が下側の刈取装置１７で刈り取られ、掻込みオ−ガ６に達し、刈取前処理装置１４の一側に搬送して集められ、後ろ側のコンベヤ５に供給された後、上方の脱穀装置２に搬送されて供給口７から扱室３に供給される構成となっている。
【００１２】
そして、脱穀装置２は、図１に示すように、扱胴４が前後方向に向けて軸装された扱室３が上側にあり、その下側に選別室９を配置した構成としている。そして、選別室９は、図１に示すように、揺動選別棚２０の下方に選別方向の上手側から圧風唐箕２１、一番移送螺旋２２、二番移送螺旋１０の順に配置して設けられ、後部の排塵口２３にはカッタ−２４を軸装して構成している。
【００１３】
そして、汎用コンバイン１２は、図３、及び図４に示すように、キャビン２５、グレンタンク２６、空気搬送式の穀粒排出装置２７を装備した構成としている。
そして、実施例に係る掻込みリ−ル１５は、図３、乃至図７に示すように、刈取前処理装置１４の左右両側の機枠２８から前方に突出した上下調節自由のリ−ルア−ム２９に軸架して設け、該リ−ルア−ム２９と前記機枠２８との間に調節用油圧シリンダ３０を取り付けて上下方向に高さの調節ができる構成としている。そして、穀稈丈検出センサ３１は、図５、乃至図７に示すように、上記リ−ルア−ム２９の先端部に接続して前方に延長した左右一対（発信器、受信器）からなり、両者の間に超音波を発信（受信）して間を通過する穀稈の丈を検出する構成としている。そして、図示しない制御手段は、穀稈丈検出センサ３１から入力された検出情報に基づいて油圧機構側に制御信号を出力してバルブを切替制御し、前記調節用油圧シリンダ３０を、穀稈の丈に応じて伸縮制御して掻込みリ−ル１５の高さを上下に制御する構成としている。
【００１４】
そして、実施例の穀稈丈検出センサ３１は、図７に実線で示すように、使用しないときには上方に折り畳んで収納できる構成としている。
そして、掻込みリ−ル１５は、刈取前処理装置１４の上下調節レバ−に、リ−ル上下スイッチを設けてスイッチ操作で上下調節ができる構成にしている。この場合には、掻込みリ−ル１５は、上下調節レバ−にリ−ル上下スイッチを設けているから、刈取前処理装置１４の上下調節操作に関連して上下操作が可能となり、一度に両者の調節ができるからきわめて効率的に操作が可能であって、作業能率を向上することができる特徴がある。
【００１５】
つぎに前述した２つの刈取装置１７、１９について、その配置と伝動構成を説明する。
まず、第２刈取装置１９（以下、「セカンドモア１９」と云う）は、図８、乃至図１０の実施例に示すように、刈取前処理装置１４の機枠に固定されている前側の刈取装置１７に対して、機枠に平行４点リンク機構３２によって上下高さの調節ができるように、前記コンベヤ５の機枠５ａ下側に横方向に向けて配置した構成としている。
【００１６】
そして、セカンドモア１９は、上下調節用のモ−タで前記平行４点リンク機構３２によって水平状態を保ちながら上下に刈高調節ができ、前方の刈取装置１７に対して上下調節を可能にしている。そして、セカンドモア１９は、図１０に示すように、左右に２分割した２つの刈取装置１９ａ、１９ｂからなり、左側の油圧モ−タ３３によって駆動される構成としている。この場合、セカンドモア１９を構成している左右の刈取装置１９ａ、１９ｂは、上記油圧モ−タ３３から出力される回転動力が、左刈刃駆動機構３４ａに入力され、更に、コンベヤ５の下側を横方向に向けて配置した伝動軸３５を介して右側刈刃駆動機構３４ｂを伝動する構成としている。そして、上記左右の刈取装置１９ａ、１９ｂは、図８、及び図１０に示す平面視において、相互に左右逆方向に往復摺動して刈取作用を行い、発生する振動を相殺して振動の低減が図れる構成としている。
【００１７】
このように、実施例に係るセカンドモア１９は、伝動軸３５と共に全体をコンベヤ５の機枠５ａの下側を横方向に配置したから、伝動機構をコンベヤ上方の迂回を避けてコンベヤ５下方に直線的に配置でき、しかも、単一の油圧モ−タ３３によって左刈刃駆動機構３４ａと右側刈刃駆動機構３４ｂとを伝動して左右の刈取装置１９ａ、１９ｂを駆動できる簡潔な構成になった特徴がある。そして、セカンドモア１９は、汎用コンバインでは、通常、３メ−トル以上の刈幅を必要とするから長くなって１本構成にすると、もろもろの欠陥がでるが、実施例のように、２分割したツイン刈刃にすることにより、撓みもなくなり、摺動抵抗を少なくして消耗馬力を極力少なくできる効果がある。
【００１８】
つぎに、本件出願の要旨に関する二番還元装置について具体的に説明する。
まず、二番物供給装置８は、図２に平面視で示すように、扱室３の前部に連続する供給口７の前方位置で、前記コンベヤ５の搬送終端部分の上方位置に長方形状の箱体３６を横長に配置して構成している。そして、箱体３６は、図１、及び図２に示すように、内部に右送りの移送螺旋３７を軸架して設け、前記選別室９の二番移送螺旋１０から二番物を揚穀する二番揚穀装置１１の上部を左側端部に連結し、二番物を揚穀して前記移送螺旋３７の左端に供給する構成としている。
【００１９】
そして、二番物供給装置８の上記箱体３６は、図２に示すように、前記移送螺旋３７の右端部分に排出羽根３８を軸着して移送されてきた二番物を扱室３と前記コンベヤ５との両方に還元できる構成としている。すなわち、箱体３６は、後側と下側との両方を開口して、上記移送螺旋３７によって移送されてきた二番物を、回転駆動されている排出羽根３８によって後方の扱室３と下方のコンベヤ５とに還元できる構成としている。この場合、二番物は、図１、及び図２から解るように、前記扱室３の始端部分とコンベヤ５の終端部との両方に還元できるように構成している。
【００２０】
そして、二番物供給装置８は、上記箱体３６の下側にある開口部分（コンベヤ５側）には開閉自由の蓋を設けて、通常は、塞いで二番物を扱室３のみに還元しているが、二番揚穀装置１１から揚穀されて来る二番物の量が、基準量を越える程度に増えてくると、自動制御機構を利用してコンベヤ側の開口部にある蓋を自動開放してコンベヤ５にも還元できる構成としている。実施例の場合、二番物供給装置８は、予め設定している基準量以上に二番物が揚穀されてくると、その増量分をコンベヤ５側に還元することによって、扱室３側の二番物の処理量の増加を規制するものである。
【００２１】
また、この場合、二番物は、穀粒の混入度合いを検出して藁屑等に比較して穀粒量が基準値を越えたとき、コンベヤ５側に還元する構成にしてもよいが、要するに、実施例の二番還元装置は、扱胴４の処理能力から、扱室３における二番処理量の負担を一度にかけないで分散する方策であればよい。
【００２２】
そして、扱室３は、図１１に示すように、排塵口２３に近い部分の漏下網４０上に無孔の目潰し板４１を取り付けて設け、脱穀物の漏下を阻止する構成としている。実施例の場合、無孔の目潰し板４１は、扱室３後部の二番移送螺旋１０の上方位置において、扱室３の全長の３分の１程度を塞ぐように扱室３後部に配置した構成とし、二番物の漏下を止める構成としている。
【００２３】
このように構成すると、扱室３後部の漏下物は、漏下網４０から選別室９内に漏下することがなくなり、扱胴４によって持ち回られながら後方に移動して、更に、脱粒処理されて後部の選別室９側の排塵口２３に排塵されカッタ−２４で切断処理さて機外に排塵されることになる。したがって、二番物は、減少して二番還元装置や扱室３の詰まりを未然に防止することができる。
【００２４】
つぎに、揺動選別棚２０は、図１１に示すように、一番移送螺旋２２の上方位置と、二番移送螺旋１０の上方位置とにそれぞれチャフシ−ブ４２を取り付け、通常は、被選別物の内容や選別状態に応じて選別目合いを調節しながら選別する構成としているが、実施例の場合、チャフシ−ブ４２の上側に目抜き板４３を設けて、漏下量を制限する構成としている。
【００２５】
以上述べたように、実施例の扱室３は、脱穀装置２後部の排塵口２３に近い部分において、扱室３の全長の大凡３分の１程度において漏下網４０の上面に無孔の目潰し板４１を設けて漏下を制限する構成にすることによって、二番移送螺旋１０に脱穀処理物の漏下をなくして二番還元装置の詰まりを未然に防止するものである。
【００２６】
そして、揺動選別棚２０は、上述のとおり、チャフシ−ブ４２の上側に目抜き板４３を設けて、チャフシ−ブ４２上に落下する処理物の量を大幅に制限して二番物の詰まりをなくするようにしている。
【００２７】
以上述べたように、本発明に係る実施例は、刈取穀稈の全部をコンベヤ５で上方に搬送して扱室３に供給する全稈投入式の脱穀装置において、２番物を扱室３に還元する構成の場合、扱室３の詰まりが起こり易いが、これを２番物の供給調整によって解決して詰まりのない、或いは詰まりの少ない脱穀装置２となったものである。そして、本案に係る発明は、２番物を扱室３に還元する通常の脱穀装置において、扱室３における脱穀物の詰まりの防止をするために、２番物をコンベヤ５との両方に分散還元することによって、扱室３における扱胴４の一時的に起きる過負荷状態を回避して、能率、脱粒精度の安定を図っている。
【００２８】
そして、実施例に係る発明は、二番物の還元を扱室３では、その始端部分に、コンベヤ５にはその終端部分にそれぞれ還元するから、余分な移送経路を極力短くしてコンベヤ５、及び扱胴４の処理能力を向上することができる。
【００２９】
そして、実施例に係る発明は、扱室３に還元する二番物の量に基準値を設け、予め設定した基準値をオ−バ−した二番物をコンベヤ５側に還元して扱室３への還元量を基準量までに制限することにより、扱室３の過剰な負担を未然に防ぎ、詰まりの起きない脱穀装置（扱室）を提供することができ、脱穀能率を向上できるものとなった。
【００３０】
つぎに、図１２、及び図１３に基づいて別実施例１を説明する。
別実施例１は、図面に示すように、車体５０に搭載したベ−ラ５１の前部に汎用型刈取部５２を連結したものであって、長稈に対する適応性を向上すると共に、収集して供給した茎稈の塊を容易に形成できる装置を提供するものである。
【００３１】
まず、ベ−ラ５１は、従来公知の装置であって、下部の供給口５３から供給されてくる茎稈を内周面に沿って回転する無端帯５４によって塊を形成する構成とし、車体５０上に搭載している。そして、汎用型刈取部５２は、前方側から分草杆５５、茎稈引起し装置５６、ディスクカッタ−５７、広幅刈取装置５８、掻込みオ−ガ５９、コンベヤ６０の順に設けて構成され、前記ベ−ラ５１の前部に連結した構成としている。
【００３２】
そして、茎稈引起し装置５６は、従来から自脱型コンバインに使用されている構成と同一であって、チエンに所定間隔ごとに引起しラグ５６ａを設けて構成しており、実施例の場合、５条刈に構成している。そして、ディスクカッタ−５７は、広幅刈取装置５８の上方において、前記茎稈引起し装置５６と同じ方向に同じ程度に傾斜したカッタ−軸５７ａに複数段のカッタ−５７ｂを軸着して左右一対を一組として茎稈通路に臨ませて配置した構成としている。そして、後続する掻込みオ−ガ５９とコンベヤ６０とは、従来から知られている汎用型コンバインと同一の構成にしており、茎稈を一側に集めて後部上方に搬送して前記ベ−ラ５１に供給する構成としている。
【００３３】
以上述べたように、別実施例１は、従来型の汎用型刈取部５２の掻込みリ−ルに代えて茎稈引起し装置５６を設けた構成にした点に特徴があり、圃場の倒伏茎稈を引起しラグ５６ａによって確実に係止して上方に引き延ばすように掻上げながら引起し作用ができる。したがって、別実施例１の汎用型刈取部５２は、従来型に比べて長い茎稈への適応性が著しく向上した特徴がある。
【００３４】
そして、別実施例１は、茎稈引起し装置５６の後方位置にディスクカッタ−５７を設けて茎稈を短く切断して後方に送り込む構成としているから、ベ−ラ５１において茎稈の塊を形成するとき、塊の密度が高くなって、多量の茎稈を一塊にできる効果がある。
【図面の簡単な説明】
【００３５】
【図１】本発明の実施例であって、脱穀装置の側断面図である。
【図２】本発明の実施例であって、要部の平面図である。
【図３】本発明の実施例であって、コンバインの左側面図である。
【図４】本発明の実施例であって、コンバインの右側面図である。
【図５】本発明の実施例であって、掻込みリ−ルの斜面図である。
【図６】本発明の実施例であって、コンバインの側面図である。
【図７】本発明の実施例であって、一部の作用を示す側面図である。
【図８】本発明の実施例であって、刈取前処理装置の平面図である。
【図９】本発明の実施例であって、刈取前処理装置の側面図である。
【図１０】本発明の実施例であって、セカンドモアの平面図である。
【図１１】本発明の実施例であって、脱穀装置の側断面図である。
【図１２】本発明の別実施例１であって、平面図である。
【図１３】本発明の別実施例１であって、一部の内部構成を示す側面図である。
【符号の説明】
【００３６】
１    車体                    ２    脱穀装置
３    扱室                    ４    扱胴
５    コンベヤ                ６    掻込みオ−ガ
７    供給口                  ８    二番物供給装置
９    選別室                  １０  二番移送螺旋
１１  二番揚穀装置。
【図１】
2005052108.tif 000003
【図２】
2005052108.tif 000004
【図３】
2005052108.tif 000005
【図４】
2005052108.tif 000006
【図５】
2005052108.tif 000007
【図６】
2005052108.tif 000008
【図７】
2005052108.tif 000009
【図８】
2005052108.tif 000010
【図９】
2005052108.tif 000011
【図１０】
2005052108.tif 000012
【図１１】
2005052108.tif 000013
【図１２】
2005052108.tif 000014
【図１３】
2005052108.tif 000015